(57)【要約】  本発明は、モジュラチャンバ付きの釣り用ルアに関し、伸長自在なリーダを収容するコンパクトな収容場所を提供する内部スプールと、ルア本体の様々な部分に沿って取り外し可能に取り付けられ、水中での所望の動き、向き及び深さを与える重りエレメントと、様々な異なるルアのタイプを提供する複数の交換可能な尾部と、を有する。
2017513471.tif 000002
【特許請求の範囲】
【請求項１】
釣り用ルアの再巻取り可能なリーダアセンブリであって、
互いに実質的に平行な配置で間隔を空けて伸び、当該実質的に平行な配置を維持するように接続構造によって接続された１対の支持アームを有し、前記支持アームの各々は、少なくとも部分的に前記支持アーム内に形成された開口部を含み、前記開口部は、実質的にアライメントされて回転部材の回転軸を規定し、前記回転部材は、円筒形のドラム本体を含み、前記ドラム本体は枢軸部材を含み、前記枢軸部材は前記ドラム本体の端部から外側に向かって前記支持アームの前記開口部にはめ込まれるのに十分に伸びて前記ドラム本体が前記回転軸を中心に回転することを可能にし、第１の端部、中間部及び第２の端部を有するリーダラインを有し、前記リーダラインの前記第１の端部は前記ドラム本体に固着され、前記中間部は前記ドラム本体に巻き付けられ、前記第２の端部はフック部材に固着され、前記１対の支持アームの少なくとも１つに固定され釣り糸を取り付けるアイレットフックを有し、前記再巻取り可能なリーダアセンブリは、釣り用ルアの本体内に取り付け可能な大きさであり、リリース自在なフック及びリーダアセンブリを備え、
前記フック及び前記リーダラインは、前記ルアに魚が食い付いた際に前記釣り用ルア本体から離れて伸長し、前記アイレットフックと前記ドラム本体との間の距離は実質的に一定に維持されることを特徴とするリーダアセンブリ。
【請求項２】
請求項１に記載の再巻取り可能なリーダアセンブリであって、
前記ドラム本体は、中央に位置する穴を含み、前記穴は、前記枢軸部材と協働する大きさで設けられ、前記ドラム本体と前記枢軸部材との間の回転を可能にすることを特徴とするリーダアセンブリ。
【請求項３】
請求項１に記載の再巻取り可能なリーダアセンブリであって、
前記釣り用ルア本体部は中空の空洞部を含み、前記空洞部は前記再巻取り可能なリーダアセンブリを収容する大きさで設けられ、前記再巻取り可能なリーダアセンブリは、前記釣り用ルア本体の外側に伸びた前記アイレットフックを有することを特徴とするリーダアセンブリ。
【請求項４】
請求項１に記載の再巻取り可能なリーダアセンブリであって、
前記枢軸部材はツール収容部を含み、前記釣り用ルア本体の外側から前記ドラム本体を回転させることを特徴とするリーダアセンブリ。
【請求項５】
請求項１に記載の再巻取り可能なリーダアセンブリであって、
前記枢軸部材は前記釣り用ルア本体の外側の位置まで伸び、前記ドラム本体を回転させることを特徴とするリーダアセンブリ。
【請求項６】
請求項１に記載の再巻取り可能なリーダアセンブリであって、
前記１対の支持アームは収束してアーム部材を支持し、前記アーム部材は管状の構造であり、前記釣り用ルア本体の外側の位置まで伸びるのに十分な長さを有し、前記リーダラインは当該管状のアームを通って伸長していることを特徴とするリーダアセンブリ。
【請求項７】
請求項３に記載の再巻取り可能なリーダアセンブリであって、
前記釣り用ルア本体は主要部及び交換可能部を含み、前記主要部と前記第２の部分とは結合するように形成され魚が捕食する動物に類似することを特徴とするリーダアセンブリ。
【請求項８】
請求項７に記載の再巻取り可能なリーダアセンブリであって、
前記第２の部分は交換可能であり、前記動物との類似点を変更することを特徴とするリーダアセンブリ。
【請求項９】
請求項７に記載の再巻取り可能なリーダアセンブリであって、
前記釣り用ルア本体は前記釣り用ルア本体の後部に設けられたスロットを含み、前記スロットは前記第２の部分と協働する大きさ及び形状に形成され、前記第２の部分は取り外されて置き換えられ得ることを特徴とするリーダアセンブリ。
【請求項１０】
請求項９に記載の再巻取り可能なリーダアセンブリであって、前記スロットはＴ−スロットであることを特徴とするリーダアセンブリ。
【請求項１１】
請求項３に記載の再巻取り可能なリーダアセンブリであって、
前記釣り用ルア本体は第２の空洞部を含むことを特徴とするリーダアセンブリ。
【請求項１２】
請求項７に記載の再巻取り可能なリーダアセンブリであって、前記第２の空洞部は擬臭を収容する大きさ及び形状で形成され、前記第２の空洞部は開口部を有し、前記第２の空洞から前記擬臭を制御された態様で漏れ出させることを特徴とするリーダアセンブリ。
【請求項１３】
請求項７に記載の再巻取り可能なリーダアセンブリであって、前記第２の空洞部は重りを収容する大きさ及び形状に形成され、前記重りは前記釣り用ルアの浮遊の特徴を変更する大きさ及び配置で設けられることを特徴とするリーダアセンブリ。
【請求項１４】
請求項７に記載の再巻取り可能なリーダアセンブリであって、前記第２の空洞部は潜水ビルと協働する大きさ及び形状に形成されていることを特徴とするリーダアセンブリ。
【請求項１５】
請求項１４に記載の再巻取り可能なリーダアセンブリであって、前記釣り用ルアの本体は浮揚性を有する材料から構成され、水面に浮かぶことを特徴とするリーダアセンブリ。
【請求項１６】
請求項３に記載の再巻取り可能なリーダアセンブリであって、前記釣り用ルアの本体は交換可能であり、当該再巻取り可能なリーダアセンブリを用いることを特徴とするリーダアセンブリ。
【請求項１７】
請求項３に記載の再巻取り可能なリーダアセンブリであって、前記釣り用ルアの本体の一部は前記１対の支持アームを形成していることを特徴とするリーダアセンブリ。
【請求項１８】
請求項３に記載の再巻取り可能なリーダアセンブリであって、前記ドラム部材は前記ドラム部材の端部の各々にフランジを含むことを特徴とするリーダアセンブリ。
【請求項１９】
請求項１８に記載の再巻取り可能なリーダアセンブリであって、前記フランジのうち少なくとも１つは、当該フランジの外側の表面に１つ以上のディンプルを含み、当該ディンプルは、ロック部材と協働して前記ドラム部の回転を防止していることを特徴とするリーダアセンブリ。
【請求項２０】
再巻取り可能なリーダアセンブリを有する釣り用ルアであって、
中空の空洞部を含む釣り用ルアの本体部分を有し、前記空洞部は再巻取り可能なリーダアセンブリを収容する大きさであり、前記釣り用ルアの本体は主要部及び交換可能部を含み、前記主要部と前記第２の部分とは、結合して魚が捕食する動物に似通うように形成され、再巻取り可能なリーダアセンブリを有し、前記再巻取り可能なリーダアセンブリは、互いに実質的に平行な配置で間隔を空けて伸び、当該実質的に平行な配置を維持するように接続構造によって接続された１対の支持アームを含み、前記支持アームの各々は、少なくとも部分的に前記支持アーム内に形成された開口部を含み、前記開口部は、実質的にアライメントされて回転部材の回転軸を規定し、前記回転部材は、円筒形のドラム本体を含み、前記ドラム本体は、枢軸部材を含み、前記枢軸部材は、前記ドラム本体の端部から外側に向かって、前記支持アームの前記開口部にはめ込まれるのに十分に伸びて前記ドラム本体が前記回転軸を中心に回転することを可能にし、第１の端部、中間部及び第２の端部を有するリーダラインを有し、前記リーダラインの前記第１の端部は前記ドラム本体に固着され、前記中間部は前記ドラム本体に巻き付けられ、前記第２の端部はフック部材に固着され、前記１対の支持アームの少なくとも１つに固定され釣り糸を取り付けるアイレットフックを有し、前記再巻取り可能なリーダアセンブリは、釣り用ルアの本体内に取り付け可能な大きさであり、リリース自在なフック及びリーダアセンブリを備え、
前記フック及び前記リーダラインは、前記ルアに魚が食い付いた際に前記釣り用ルア本体から離れて伸長し、前記アイレットフックと前記ドラム本体との間の距離は実質的に一定に維持されることを特徴とするリーダアセンブリ。
【発明の詳細な説明】
【技術分野】
【０００１】
本願は、釣り具に関し、特に、内部スプールに巻き付けられた伸長自在なワイヤリーダを収容するコンパクトな収容場所、着脱可能な重り及び複数の交換可能な尾部材を有するモジュラチャンバ付きの釣り用ルアに関する。フックはワイヤリーダによってルアに確実に取り付けられ、当該取り付けはフック及びリーダの制御されたリリースが可能な態様でなされる。当該着脱可能な重りは、ルア本体のモジュラスロット開口部に設けられている。いずれの交換可能な尾部材も、ルアの頭部に取り外し可能に設けられ得る。
【背景技術】
【０００２】
釣り人は、可能な限り最も効果的に魚を引き寄せて捕獲することに関心がある。特定の種類の魚を本来の生息地で捕獲するために、様々な種類の釣り用ルアが設計されてきた。また、探す魚のタイプ及びその本来の生息地は、気象条件、時刻、潮流及び水温などの要素、すなわち、当該探している魚を特定の時間及び場所において捕獲するためにどの特定のルアが最も効果的となり得るかを決定し得る要素を提供する。このような理由から、多くの釣り人は、比較的多くのルアを収集して様々な釣りの活動に用い、首尾良く出漁する機会を増やしている。
【０００３】
このようなルアは一般に一体型のユニットであり、それぞれのユニットが固有のフック、リーダ、アタッチメント及びその他を有している。出漁の間、多種のすぐに使えるルアのコレクションを維持する結果、多くの場合、タックルボックス（釣り道具箱）内が込み合って混乱した状態になる。そのような場合、多くのルアはほとんど使われないか何度漁に出ても全く使われない可能性がある。
【０００４】
釣りの産業界では、様々な種類の魚は、その日の釣り用ルアの動きやスタイルだけでなく異なる色に誘引されることが知られている。この誘引は実際に時刻によって、例えば１時間毎に変わり得る。釣り人は、一貫して魚を捕獲したければ、釣り用ルアを状況に適合させることは避けられない。このため、通常は、ルアを釣り糸から取り外し、新たに選択したルアを釣り糸に結び付ける必要がある。このタスクは、釣りをしているのがボートの上又は岸のいずれであっても厄介であり、困難であり、また時間を浪費する。釣り人は、込み合ったタックルボックスの中から適切なルアを捜し出さなければならず、場合によっては、揺れる船の上で手を揺れないように維持して、ルアに開けられた穴に釣り糸を結び付けたり、通したりしなければならない。また、魚は特定の位置に長く留まらないため、タイミングも要素の１つである。釣り人はしばしば、広範囲の釣り道具の装備へのかなりの投資を象徴する、異なる形、スタイル及び色のルアの相当多くのコレクションを維持し得る。ルアの膨大なコレクションを、その多くに既に取り付けられたフックと共に維持することは、収納の問題を釣り人に提示する。ルアが１つずつ分けて収納されている場合、タックルボックス内の貴重な空間又は漁船内の限られた空間を塞ぐ。さらに、複数のルアが一緒に収納されている場合、複数のフックが頻繁にもつれ合い、選んだルアを回収してもつれを解くことに貴重な時間をとられる。従って、1つの頭部と交換可能な尾部とを有する釣り用ルアが必要とされている。そのようなルアは、様々な異なるタイプのルアに変形され得り、上記したような問題を解決し得る。
【０００５】
例えば、米国特許第2,958,152号は、フックとリーダアタッチメントの穴部とが固定されるフレームを有するルアを開示しており、当該フレームに異なるルア本体が交換可能に取り付けられている。当該ルア本体は、固い剛性の材料からなり、フレーム部の各側面に要求されるグリップを提供する。しかし、当該8152号は、ルアの本体部に交換可能に取り付けられた、取り外し可能な尾部を開示していない。米国特許第5,301,453号は、剛性の本体及び当該剛性の本体に入れ子式に取り付けられた交換可能な本体スリーブを含み、特定の釣りの条件に応じて様々な形態の餌を同じルアに用いることができる釣り用ルアを開示している。当該開示されたルアに付随する不都合は、スリーブの尾部と剛性の本体との接触を維持するために摩擦の関係のみを用いており、荒れた流れ又は岩屑の中で、スリーブが本体から外れ得ることである。
【０００６】
重りは、釣り用ルアに結合されて、ルアの水中での動きを変えるために、また、ルアを移動させる深さを決定するために用いられてきた。重りは魚に対して感覚的な誘惑を与える。これは、多くの場合魚は水中で生餌が動くような動きに誘引されるからである。従って、釣り用ルアは、生餌の自然な動き方に似た態様で、水中で動くように設計されてきた。水中でそのような動きを得るために、ルアは、様々な重さの範囲で、範囲内の又は変更できない所定の１つの重さで設計及び製造されている。これらの重りを備えた釣り用ルアは時々、不自然な動きの特徴を使用時に与える。そのような不自然な動きは、干満、潮流又はラインの引っ張りによるものである。さらに、当該ルアによって適切な深さ又は動きが達成されない場合、通常は、そのルアを釣り糸から外して、代わりのルアを選んで釣り糸に取り付ける必要がある。このタスクは、上記したように、厄介であり、困難であり、また時間を浪費する。例えば、米国特許出願公開第20100175305号は、少なくとも２つの異なる材料から構成される本体を有する釣り用ルアを開示している。その設計においては、当該材料のうちの１つに、他の材料の少なくとも２倍の密度を有することが要求される。水中で所望の動き又は向きを達成するためである。このような釣り用ルアに付随する不都合には、予め設定されたルアの重さを有していることで、ルアの水中での動き、向き及び深さを変更することが制限又は阻害されることが含まれる。従って、調整可能な重りを有し、水中での所望の動き、向き及び深さに達することができる釣り用ルアが必要とされている。
【０００７】
リリース自在なフックを有する釣り用ルアの広い概念は当該技術分野において周知である。例えば、米国特許第5,090,151号には、食い付き（すなわち、ストライク）が起こるとフックと本体とが分離する釣り用ルアが記載されている。この釣り用ルアは、ルア本体、フック及びワイヤ部材を含む。当該本体は、当該本体内を貫通するスロットと、当該スロットに沿って設けられている肩部とを有している。前記フックは、突出部を備えた細長い軸部分を含んでおり、当該軸部分は通常は当該肩部をルア本体に係合する。これによって当該フックは当該ルア本体との係合状態を維持している。前記ワイヤ部材は、当該ルア本体を貫通して伸び、一端はフック用の小穴部に取り付けられ、他端は釣り用リールに取り付けられる。当該フックは、当該ルア本体の外側に伸びる曲げ形成された湾曲部分と共に前記スロット内に収容される。ルア本体の肩部は、フックの軸部分及び突出部と共にリリース自在に係合されており、食い付きの際には、当該本体とフックが分離して当該ルア本体はワイヤ部材を滑り上がる。
【０００８】
米国特許第5,806,233号には、魚の食い付きの際にルア本体とフックとの間の相対的な空動きを発生させる釣り用ルアが記載されている。当該釣り用ルアは、ルア本体、リム部、弾性バンド、釣り糸（以下、ラインと称する）及びフックからなる。当該ルア本体は、前端部と後端部とを有する。一端に形成された穴部を有するリム部は、当該ルア本体の後端部に接続されている。当該リム部の穴部は、当該ルア本体の後端部から外方に伸びている。前記フックは、小穴が形成された軸部分を含む。当該フックは、所定の長さのラインを使用して当該リム部に取り付けられている。当該ラインの一端には当該フックの小穴が締結され、他端には前記リム部の穴部が締結されている。弾性バンドは、当該フック、当該リム及び当該ラインを並列に閉じ込めるように取り囲み、ルア本体の後端部から離れる方向の後方へリリース自在に保持する。当該フックに魚が食い付いた際は、当該フック及び当該ラインは当該バンドから離脱し、当該フックは魚の進行方向と反対の方向に進む。
【０００９】
米国特許第6,105,303号は、ラインに十分な張力が働くまでフックが露出しない釣り用ルアを開示している。当該ルアは、ルア本体、ライン及びフックを含む。当該本体は、当該本体を貫通する開口部と少なくとも１つのチャネルを有している。前記ラインは開口部を通って伸び、当該フックの軸部分に固定されている。当該フックはチャネルに収容され、開口部において当該ラインの進む方向を変えることで、当該チャネル内のラインは開口部において反対方向に進む。このような構成により、当該ラインに十分な張力が働いた際に当該フックは当該本体から離脱する。
【００１０】
米国特許第6,164,006号は、前方の本体部及び交換可能な尾部材を有する釣り用ルアを開示している。当該尾部材は、当該本体部に取り外し可能に設けられている。当該開示された釣り用ルアに付随する不都合は、当該ルアは水中での所望の動き、向き及び深さを達成するために必要な動きの変化を与えないことであり、当該変化は交換可能な重りによって達成されるものである。また、もう１つの当該不都合として、当該ルアは前方の頭部に、伸長されたリーダアセンブリが配され得るようなスプールを収容する内部チャンバを含まないことがある。
【００１１】
従って、従来技術の限界を克服すべく、伸長自在なリーダ用のコンパクトな収容場所を提供する内部スプールと、着脱可能な重りと、複数の交換可能な尾部を有するモジュラチャンバ付き釣り用ルアが必要とされている。
【発明の概要】
【課題を解決するための手段】
【００１２】
本発明は、モジュラチャンバ付き釣り用ルアに関し、当該ルアは伸長自在なリーダのコンパクトな収納を提供する内部スプールと、ルア本体の様々な部分に取り外し可能に取り付けられ水中での所望の動き、向き及び深さを提供する重りエレメントと、異なるタイプの様々なルアを提供する複数の交換可能な尾部材と、を有する。当該モジュラチャンバ付き釣り用ルアは、前部、後部、上部、底部及び内部チャンバを有する頭部と、前部、後部、上部及び底部を有する複数の尾部と、を含む。当該頭部の内部チャンバ内に設けられているのは伸長したリーダアセンブリを収納するように構成及び配置されているスプールである。フックは、リーダアセンブリの端部に取り付けられ、非展開状態においてルアの後部分にリリース自在に係合されている。スプールアセンブリは、ユーザにフックが接続されたリーダラインを当該デバイスの内部チャンバに巻き戻すことを可能にするように構成及び配置され、フックは次の食い付きに備えてルア本体内で初期の状態に戻される。当該頭部が有する後部は、頭部の上部に沿って伸び、また、側面に沿って伸びているＵ形状のチャネルを含んでいても良い。当該Ｕ-チャネルは重りエレメントを収容するように構成及び配置され、当該ルアの頭部の重さを変更する。さらに、頭部の底部に沿って露出された腹部の溝は、重りエレメントを収容するように構成及び配置されている。頭部の後部は、丸みを帯びたキーホールスロットをさらに含む。当該キーホールスロットは、対応するキーホールを有する複数の尾部と協働するように構成及び配置されている。当該尾部には様々な色、大きさ、形状等がある。
【００１３】
従って、本発明の目的は、リリース自在なフックを有するチャンバ付き釣り用ルアを提供することである。
【００１４】
また、本発明の他の目的は、モジュラチャンバ付き釣り用ルアを提供し、ルアのスタイル、動き、及び／又は色を現在のルアを釣り糸（ライン）から取り外して新たなスタイル、動き、及び／又は色のルアを結び付けること無しに変更する簡単な方法を提供することである。
【００１５】
さらに、本発明の他の目的は、リリース自在なフックを有し、当該フックの一部は内部チャンバの中に収容されるモジュラチャンバ付き釣り用ルアを提供することである。
【００１６】
本発明の他の目的は、より自然な外観を維持するモジュラチャンバ付き釣り用ルアを提供することである。
【００１７】
本発明の他の目的は、低い視認性を維持するリリース自在なフックを有するモジュラチャンバ付き釣り用ルアを提供することである。
【００１８】
本発明の他の目的は、より良いルアの動きを維持するリリース自在なフックを有するモジュラチャンバ付き釣り用ルアを提供することである。
【００１９】
本発明の他の目的は、非展開状態と展開状態との間を横断するリリース自在なフックを有するモジュラチャンバ付き釣り用ルアを提供することである。
【００２０】
本発明の他の目的は、一旦リーダがリリースされ展開されると魚が確実に引っ掛かるモジュラチャンバ付き釣り用ルアを提供することである。
【００２１】
本発明の他の目的は、リリース自在なフックを有し、魚がその口からルアを振り払うことができないモジュラチャンバ付き釣り用ルアを提供することである。
【００２２】
本発明の他の目的は、リリース自在なフックを有し、リーダラインは内部チャンバ内に隠されて再巻取り可能なリーダアセンブリに取り付けられているモジュラチャンバ付き釣り用ルアを提供することである。
【００２３】
本発明の他の目的は、リリース自在なフックを有し、簡単に再巻取りされることができて非展開状態となるモジュラチャンバ付き釣り用ルアを提供することである。
【００２４】
本発明の他の目的は、内部のリールアセンブリを有し、リーダラインを収容するモジュラチャンバ付き釣り用ルアを提供することである。
【００２５】
本発明の他の目的は、外部から制御する機構を含みスプールを中心にリーダラインを再巻取りする内部のリールアセンブリを有するモジュラチャンバ付き釣り用ルアを提供することである。
【００２６】
本発明の他の目的は、クラッチアセンブリを含む内部のリールアセンブリを有し、抵抗を生じさせてスプールからリーダラインを引き出すモジュラチャンバ付き釣り用ルアを提供することである。
【００２７】
本発明の他の目的は、反動ばねセンブリを含む内部のリールアセンブリを有し、所定の抵抗を生じさせてスプールからリーダラインを引き出すモジュラチャンバ付き釣り用ルアを提供することである。
【００２８】
本発明の他の目的は、反動ばねセンブリを含み得る内部のリールアセンブリを有し、
リーダラインを再巻取りするモジュラチャンバ付き釣り用ルアを提供することである。
【００２９】
本発明の他の目的は、頭部に取り外し可能に取り付けられた尾部を有するモジュラチャンバ付き釣り用ルアを提供することである。
【００３０】
本発明の他の目的は、頭部に取り外し可能に取り付けられた尾部を有し、釣り人が、ツールを使うこと無く、またルアの部品にダメージを与えること無く当該尾部をルアから取り外すことを可能にするモジュラチャンバ付き釣り用ルアを提供することである。
【００３１】
本発明の他の目的は、釣り人がルアの尾部を自在に交換して異なる条件下で異なるタイプの魚を引き寄せることを可能にするモジュラチャンバ付き釣り用ルアを提供することである。
【００３２】
本発明の他の目的は、ルアの変更が望まれる場合にルアへのラインを取り付け及びルアからのラインの取り外しの必要を無くすモジュラチャンバ付き釣り用ルアを提供することである。
【００３３】
本発明の他の目的は、様々な構成、大きさ及び色の尾部を有し、頭部と組み合わせて使用された際に、様々なルアを取り付け及び取り外しする冗長なプロセスを経ること無く、異なるルアの構成を生じさせるモジュラチャンバ付き釣り用ルアを提供することである。
【００３４】
本発明の他の目的は、複数のルア本体を有し、当該ルア本体は、フックのもつれ、又は他のルアや部品を意図せず引っ掛ける懸念も無く、様々なコンパクトなスペースに収納され得るモジュラチャンバ付き釣り用ルアを提供することである。
【００３５】
本発明の他の目的は、頭部に沿った様々な領域に重りエレメントを取り付けることができ、ルアが水中で引っ張られると生きているような動きを生じさせるモジュラチャンバ付き釣り用ルアを提供することである。
【００３６】
本発明の他の目的は、重り又は分銅を別の重り又は分銅に変更することを容易にするモジュラチャンバ付き釣り用ルアを提供することである。
【００３７】
本発明の他の目的は、状況に応じて直ちに重りが変更され得るモジュラチャンバ付き釣り用ルアを提供することである。
【００３８】
本発明の他の目的は、魚を引き寄せるにおい又は味の物質が充填され得る尾部を有するモジュラチャンバ付き釣り用ルアを提供することである。
【００３９】
本発明の他の目的は、頭部の前部に挿入自在なくちばし（以下、ビルと称する）を含み得るモジュラチャンバ付き釣り用ルアを提供することである。当該ビルは、ルアが水面に沿って引かれると水中で乱れを発生させ、これによって、魚を引き付けることができる。
【００４０】
本発明の他の目的及び効果は、添付の図面と共に示す以下の記載から明らかとなるであろう。当該記載は、説明及び例示によって本発明のいつくかの実施例を示したものである。本明細書に含まれる図は本明細書の一部を構成し、本発明の例示的な実施例を含み、本発明の様々な目的及び特徴を示している。
【図面の簡単な説明】
【００４１】
【図１】非展開状態におけるリリース自在なフックを有する本発明の釣り用ルアの１つの実施例の側面図である。
【図２】展開状態におけるリリース自在なフック及びリーダを有する本発明の釣り用ルアの１つの実施例の側面図である。
【図３】本発明の再巻取り可能なリーダアセンブリ用チャンバの長手方向に沿った断面図である。
【図４】リリース自在なフックを有する本発明の釣り用ルアの再巻取り可能なリーダアセンブリの１つの実施例について、再巻取り可能なリーダアセンブリが内部チャンバの中に設けられるように示された、長手方向に沿った断面図である。
【図５】本発明の再巻取り可能なリーダアセンブリの１つの実施例の斜視図である。
【図６Ａ】本発明の再巻取り可能なリーダアセンブリの断面図である。
【図６Ｂ】回転操作するための工具を含む本発明の再巻取り可能なリーダアセンブリの断面図である。
【図７】図２に示されたリリース自在なフックを有する釣り用ルアの上面図である。
【図８】メインフィッシングラインに取り付けられたリリース自在なフックを有する釣り用ルアの展開状態におけるリリース自在なリーダを含む側面図である。
【図９】非展開状態におけるリリース自在なフックを有する本発明の釣り用ルアの代替的実施例を示す図である。
【図１０】展開状態におけるリリース自在なフックを有する図９に示された釣り用ルアの代替的実施例を示す図である。
【図１１】図９及び１０に示す釣り用ルアの長手方向に沿った断面図であり、リリース自在なリーダアセンブリは取り外されて示されている。
【図１２】図９及び１０に示す釣り用ルアの長手方向に沿った断面図であり、リリース自在なリーダアセンブリが設けられた１つの実施例を示している。
【図１３Ａ】リリース自在なフックを有し図９−１２に示された釣り用ルアの上面図である。
【図１３Ｂ】図１３に示された釣り用ルアの部分背面図である。
【図１４】釣り用ルアの底部に設けられた巻き戻し用キースロットを有する本発明の代替的実施例を示す図である。
【図１５】本発明の代替的実施例を底部に巻き戻し用の蝶ねじが設けられた潜水スタイルのルアとして示す図である。
【図１６】本発明の１つの実施例をトローリングルアの形態でリリース自在なフックと共に示す図である。
【図１７】図１６にリリース自在なフックと共に示されたトローリングルアをスカートと共に示す図である。
【図１８】リリース自在なフックを有する本発明の釣り用ルアの代替的実施例の長手方向に沿って分断した側面を非展開状態において示す図である。
【図１９】図１８の実施例の長手方向に沿って分断した側面を展開状態においてリーダアセンブリと共に示す図である。
【図２０Ａ】図１８の実施例の１つの形態を部分的に分断した側面図をジグの形態で示す図である。
【図２０Ｂ】図２０Ａの実施例を部分的に分断した側面図を展開状態においてリーだと共に示す図である。
【図２１Ａ】シュリンプテイルのアタッチメントを有する図２０Ａの実施例を示す部分断面図を含む側面図である。
【図２１Ｂ】非展開状態においてリーダアセンブリと共に示された図２１Ａの実施例の側面図である。
【図２１Ｃ】展開状態においてリーダアセンブリと共に示された図２１Ａの実施例の側面図である。
【図２２Ａ】スカートタイプのアタッチメントを有する図２０Ａのジグを示す部分断面図を含む側面図である。
【図２２Ｂ】図２２Ａに示された実施例をリーダアセンブリと共に示す展開状態における側面図である。
【図２３】本発明による再巻取り可能なリーダアセンブリの１つの実施例を示す上部斜視図である。
【図２４】図２３に示された再巻取り可能なリーダアセンブリの底部斜視図である。
【図２５】図２３に示された再巻取り可能なリーダアセンブリの側面図である。
【図２６】図２３に示された再巻取り可能なリーダアセンブリの上面図である。
【図２７】図２３に示された再巻取り可能なリーダアセンブリの支持構造の斜視図である。
【図２８Ａ】図２３に示された再巻取り可能なリーダアセンブリのスプールアセンブリの斜視図である。
【図２８Ｂ】図２３に示された再巻取り可能なリーダアセンブリのスプールアセンブリの回転部材を含まない斜視図である。
【図２８Ｃ】図２３に示されたスプールアセンブリの回転部材の斜視図である。
【図２９】チャンバ付き釣り用ルアの再巻取り可能なリーダアセンブリチャンバ内に設けられ、図１に示すようなリリース自在なフックを有する図２３に示された再巻取り可能なリーダアセンブリの断面図である。
【図３０】本発明の代替的実施例を示す部分断面図を含む側面図である。
【図３１】本発明の代替的実施例を示す部分断面図を含む側面図である。
【図３２】図３０に示されたルアの代替的実施例の交換可能な尾部及び潜水ブレードを含む側面図である。
【図３３】図３０に示されたルアの代替的実施例の再巻取り可能なリーダアセンブリを含まない断面図である。
【図３４】本発明の代替的実施例の頭部の上面図である。
【図３５】本発明の代替的実施例の頭部の底面図である。
【図３６】本発明での使用に適した交換可能な尾部の１つの実施例の側面図である。
【図３７】図３３に示された実施例の頭部の側面図である。
【発明を実施するための形態】
【００４２】
本発明は様々な態様で実施することができ、以下においては出願時点での好ましい実施例が図示され、記載されているが、これに限定されない。この実施例は、本発明の例示であると考慮されるべきであり、示された実施例に本発明を限定するものではない。
【００４３】
図１−図３１を参照すると、同様の参照番号が複数の図に亘って同様の要素を示しており、リリース自在なリーダ３４及びフック２２を有するチャンバ付き釣り用ルア１０が示されている。図１を参照すると、リリース自在なフック２２を有するチャンバ付き釣り用ルア１０の１つの実施例の側面図が示されている。当該チャンバ付き釣り用ルア１０は、ライン取り付け用の小穴を有するスイムベイトスタイルの釣り用ルアとして示されており、当該ラインは釣り人に操作されて展開及び再巻取りされるチャンバ付き釣り用ラインである。チャンバ付き釣り用ルア１０は、前部１４、後部１６、上部１８及び底部２０を有する本体１２を含む。本体１２は釣り用ルアの製造に一般に使用される材料から作られ得るが、好ましくはプラスチックなどのポリマ材から作られる。本体１２は、模様又は色彩を含んでいても良く、小魚、ネズミ、ザリガニ、昆虫、蛙、若しくは魚が捕食する別の動物又は物体に似た形状を有していても良い。チャンバ付き釣り用ルア１０に取り付けられているのはリリース自在なフック２２である。図示されているように、当該フックは、リーダラインが全く露出していないか又はほとんど露出していない「非展開位置」に配置されている。これは釣り人が前記ルアを着水させる際の典型的な開始位置である。
【００４４】
図２を参照すると、リリース自在なフック２２（図２においてではない）を有するチャンバ付き釣り用ルア１０の展開位置における側面図が示されている。展開位置において、リーダ３４は伸長されており、フック２２は、本体１２から、すなわち小穴６８（図４参照）からも、所定の距離だけ離れた位置にある。当該展開位置は、魚が実際にルアに食い付いてルアに接触する魚の食付きによって生じる。この状況において、魚は食べたくないものに食い付いたことに気付くであろう。そして、当該ルアを口から出すがフックは口に留まる。当該フックは好ましくは標準的な釣り針であり、この標準的な釣り針は小穴部分（以下アイレットという）２４、軸部分（以下シャンクという）２６、湾曲部分２８及びかえし３２付き又はかえし３２無しの尖端３０を有している。フック２２は保護皮膜で被覆されていてもよく、これにより、錆び、腐食又は他の風化作用などの悪影響を及ぼす環境から保護することで耐久年数を延長できる。フック２２をチャンバ付き釣り用ルア１０の本体１２に結合させるのはリーダライン３４である。当該リーダラインは、フロロカーボン製リーダラインやモノフィラメント製リーダラインに限定されず、編み組まれた金属若しくはポリマ材又はこれらの適切な組合せによるリーダラインであっても良い。
【００４５】
図３及び図４を参照すると、長手方向に沿った断面図によって、チャンバ付き釣り用ルアの内部の要素が示されている。本体１２の内部に設けられているのは、再巻取り可能なリーダアセンブリ用チャンバ３６である。再巻取り可能なリーダアセンブリ用チャンバ３６は、中間部４２によって接続された第１の端部３８及び第２の端部４０を含み得る。第２のチャンバ４４は、潜水翼部（以下、ブレードと称する）又はスプーン（図示せず）などの重量物（重り）４６を保持するように構成されて配置されている。あるいは、重量物４６は、本体内の適切な位置に形成されていても良く、ルアが水中で動く際に異なる動きを引き起こす。再巻取り可能なリーダアセンブリ用チャンバ３６内に設けられているのは、再巻取り可能なリーダアセンブリであり、本明細書にはスプールアセンブリ４８として示されている。通常、当該スプールアセンブリは所定の長さのリーダラインをコイル状又は制御可能でリリース自在な構造で収容するように構成され配置されている。当該スプールアセンブリは、リーダラインが当該ルアの空洞部内のスプールアセンブリに、図２に示すように再度巻きつけられ、繰り返し展開されることを可能にする。
【００４６】
図５を参照すると、スプールアセンブリ４８の１例の斜視図が示されている。スプールアセンブリ４８は第１の端部５０及び第２の端部５２を有している。スプールアセンブリ４８は２つの支持アーム５４及び５６を含む。支持アーム５４の第１の端部５８は、支持アーム５６の第１の端部６０に接続されている。支持アーム５４の第２の端部６２は、支持アーム５６の第２の端部６４に接続されている。支持アーム５４の第１の端部５８と支持アーム５６の第１の端部６０とが相互に接続されている箇所から伸びているのは、アーム６６である。アーム６６の末端にはアイレット６８が設けられている。支持アーム５４の第２の端部６２と支持アーム５６の第２の端部６４とが相互に接続されている箇所（すなわち、接続構造）から伸びているのはアーム７０である。アーム７０の末端には開口部７２が設けられている。開口部７２は、フックがアーム７０の空洞部内に挿入された際に、当該内部にぴったり合うような大きさ及び形状で形成されている。これにより、回転運動を防ぐことが可能であり、かつ、容易な又は制御されたリリースが可能である。支持アーム５４は上面７３と底面７４を含む。支持アーム５６は上面７６と底面７８を含む。
【００４７】
支持アーム５４に係合されているのはスプール８１であり、第１の円形部材８０、第２の円形部材８２及びドラム８４を含む。第１の円形部材８０及び第２の円形部材に接続されているのはピボットアセンブリであり、本明細書の図４において、スピンドル８６及び８８として示されている。スピンドル８６及び８８（図６Ａ）は、支持アーム５４及び５６に接続され得る。当該接続は、ドラム８４に長手方向の軸８９（図６Ａ参照）を中心とした回転運動をもたらすような態様でなされる。ピボットアセンブリは付属品として示され、ピボットアセンブリは他の要素を含むことができ、軸を中心とした回転スピンをもたらす。例えば、ピボットアセンブリは心棒のような細長い部材であっても良く、第１及び第２の円形部材の開口部の内側の位置にベアリングやブッシングと共に固定されても良い。あるいは、第１及び第２の円形部材は当該心棒に固定されても良く、ベアリングやブッシングと共に、当該心棒が支持されている接続箇所に固定されていても良い。ピボットアセンブリは、ベアリング、ブッシング、ギア、ラチェット及びパウルシステム、又は同様のものを使用するような、回転運動を発生させるさらなる機械的手段を含んでいても良い。
【００４８】
図５、図６Ａ及び図６Ｂを参照すると、スピンドル８６の上面９０及び／又はスピンドル８８の上面９２は、展開後にリーダラインを格納することができるように構成及び配置されている。例えば、スピンドル８６の上面９０は、窪んだ空洞部９３を露出する開口部９１を含み得る。当該窪んだ空洞部はツール９４を収容するように構成及び配置されている。ツール９４の末端部９６は、窪んだ空洞部９３と共益的な形状であるか、窪んだ空洞部９３の補完的かつ幾何学的形状、すなわち、フィリップススクリューヘッドによる十字形状、多角形形状若しくは他の適切な形状を有し、当該ツールの挿入部が窪んだ空洞部９３にしっかり固定される。ドラム８４を回転させるために、ユーザは当該ツールを挿入して、単にツール９４のハンドル９８を時計回りに回転させることで当該ドラムを時計回りに回転させ、又は当該ハンドルを反時計回りに回転させることでドラムを反時計回りに回転させる。あるいは、上面９０は単にスロット領域１００（図６Ｂに図示せず）を含んでいても良く、当該スロット領域は一般のマイナスドライバ又は米国硬貨の形状に一致しても良い（図６Ｂ参照）。
【００４９】
図４を参照すると、ドラム８４に巻き付けられているのはリーダライン３４である。リーダライン３４の第１の端部３３は、当業者に公知の様々な手段を用いてドラム８４に固着されており、当該手段はノット、スロット、フック、ファスナ、ステープル又はこれらの適切な組み合わせを含む。図４及び図５に示すように、リーダライン３４の第２の端部３５、すなわち、ドラム８４に取り付けられていない端部は、開口部１０２を通り、フック２２のアイレット２４に、例えば、インプルーブドクリンチノット、パロマノット、スネルノット、圧着スリーブなどを用いて固着されている。非展開位置において、フック２２のアイレット２４及びシャンク２６は、アーム７０の内部空洞部１０４に収容されている。湾曲部分２８及びフック２２のかえし３２付き尖端３０は、開口部７２を介して外部に露出している。
【００５０】
チャンバ付き釣り用ルア１０が着水する前に、ライン又はワイヤ１０６（図８参照）は、釣竿、ダウンリガ、アウトリガなど（図示せず）に接続され、例えばユニノット、ラパラノット又はトリレーンノットなどの当業者に周知の適切な手段を用いてアイレット６８に取り付けられている。一旦着水して魚が食い付くと、チャンバ付き釣り用ルア１０のフック２２は展開される。展開されると、リーダライン３４はドラム８４から引き出され（巻きが解け）、リーダライン及びフックのチャンバ付き釣り用ルア１０に収容されていた部分が外部に露出する。このような引き出し動作は、チャンバ付き釣り用ルア１０に魚が食い付くか、又は当該フックが他の物体に引っかかることで生じ得る。いずれの場合においても、チャンバ付きリーダルア１０を再び使用するためには、リーダライン３４は非展開位置に戻されなければならない。リーダライン３４を再びドラム８４に巻き付ける（巻き戻す）には、ユーザは単にツール９４（図６Ｂ参照）をスピンドル８６に設けられた窪んだ空洞部９３に挿入し、第１の方向又は時計回りに回すことができる。ユーザがリーダライン３４の全部又は一部をドラム８４から引き出す必要がある場合は、ツール９４を使用してドラム８４を第２の方向又は反時計回りに回転させることもできる。
【００５１】
図９−図１０はチャンバ付き釣り用ルア１０の代替的実施例を示している。図９はチャンバ付き釣り用ルアの実施例の側面図であり、リリース自在なトレブルスタイルのフック２２２を有し、プラグスタイルの釣り用ルア２１０として示されている。当該プラグスタイルの釣り用ルアは、前部２１４、後部２１６、上部２１８及び底部２２０を有する本体２１２を含む。本体２１２はバルサ、ハードウッド又は松などの従来から釣り用プラグに使用されている木材から手彫りされていても良い。しかし、好ましい実施例において、本体２１２は、中空のプラスチック、成型プラスチック又は硬質プラスチックから作られる。本体２１２は、模様又は色彩を含んでいても良く、小魚、ネズミ、ザリガニ、昆虫、蛙、若しくは魚が捕食する別の動物又は物体に似た形状を有していても良い。プラグスタイルの釣り用ルア２１０に取り付けられるのはトレブルスタイルのフック２２２であっても良い。図９に示されているように、当該フックは非展開位置において配置されており、リーダライン２３４はほとんど露出されていなか又は全く露出されていない。図１０は展開位置におけるトレブルフック２２２を備えたプラグスタイルの釣り用ルア２１０を示している。展開位置において、フック２２２は本体２１２から所定の距離だけ離れて配置されている。当該位置は、魚が食い付いてルアに接触し、当該フックに引っかかることによって生じる。図示されているように、当該フックは標準的なトレブルフックであり、アイレット２２４、シャンク２２６、複数の湾曲部分２２８及びかえし２３２付きの又はかえし２３２無しの複数数の尖端２３０を有している。しかし、チャンバ付き釣り用ルア２１０に接続されている当該トレブルフックは、当業者に公知である他のフックであっても良い。フック２２２は、保護皮膜で被覆されていてもよく、これにより、錆び、腐食又は他の風化作用などの悪影響を及ぼす環境から保護することで耐久年数を延長できる。フック２２２をチャンバ付き釣り用ルア２１０の本体２１２に結合させるのはリーダライン２３４である。
【００５２】
図１１及び図１２を参照すると、プラグスタイルのチャンバ付釣り用ルア２１０の内部の要素を示す長手方向に沿った断面図が示されている。本体２１２の内部に設けられているのは、再巻取り可能なリーダアセンブリ用チャンバ２３６であり、再巻取り可能なリーダアセンブリを保持するように構成及び配置され、本明細書には上記したスプールアセンブリとして示されている。再巻取り可能なリーダアセンブリ用チャンバ２３６は、中間部２４２に接続された第１の端部２３８及び第２の端部２４０を含み得る。第２のチャンバ２４４は、ブレード又はスプーンなどの重量物２４６を保持するように設けられていても良く、ルアが水中を動き回る際に当該ルアに、飛び込み、遊泳、浮遊又は着水などの様々な特徴の動作をさせる。図１２に示されているように、チャンバ付釣り用ルア２１０はスプールアセンブリ２４８として示されている再巻取り可能なリーダアセンブリを含んでいても良く、当該リーダアセンブリは内部の本体２１２に収容され、再巻取り可能なリーダルアアセンブリ用チャンバ２３６内に設けられている。スプールアセンブリ２４８は第１の端部２５０及び第２の端部２５２を有する。スプールアセンブリ２４８は２つの支持アーム２５４及び２５６を含む。支持アーム２５４の第１の端部２５８は、支持アーム２５６の第１の端部２６０に接続されている。支持アーム２５４の第２の端部２６２は、支持アーム２５６の第２の端部２６４に接続されている。支持アーム２５４の第１の端部２５８と支持アーム２５６の第１の端部２６０とが相互に接続されている箇所（接続構造）から伸びているのがアーム２６６である。アーム２６６の端部にはアイレット２６８が設けられ、当該アイレット２６８は本体２１２の内部から外部へ伸びており、釣り糸又はワイヤ２０６を釣り竿などに取り付けることに使われても良い。支持アーム２５４の第２の端部２６２と支持アーム２５６の第２の端部２６４とが相互に接続されている箇所から伸びているのがアーム２７０である。アーム２７０は内部空洞部２７２を含み、当該内部空洞部２７２は、リーダライン２３４が開口部２７７及び２７９を通過することができるように構成及び配置されている。支持アーム２５４は上面２７３及び底面２７４を含む。支持アーム２５６は上面２７６及び底面２７８を含む。
【００５３】
支持アーム２５４に係合されているのは、第１の円形部材２８０である。支持アーム２５６に係合されているのは、第１の円形部材２８２である。第１の円形部材２８０を第２の円形部材２８２に接続しているのはドラム２８４である。第１の円形部材２８０及び第２の円形部材２８２に取り付けられているのはピボットアセンブリであり、本明細書にはそれぞれスピンドル２８６及び２８８として示されている。スピンドル２８６及び２８８は支持アーム２５４及び２５６に、ドラム２８４が長手軸を中心に回転するように取り付けられている。ピボットアセンブリは付属品として示されており、当該ピボットアセンブリは、軸を中心に回転運動を生じさせるような他の要素を含んでいても良い。例えば、ピボットアセンブリは心棒のような縦材であっても良く、第１及び第２の円形部材の開口部内にベアリング又はブッシングと共に固定されていても良い。あるいは、当該第１及び第２の円形部材は当該心棒に固定されていても良く、当該心棒が支持される接続箇所に用いられるベアリング又はブッシングと共に固定されていても良い。当該ピボットアセンブリは、制御された回転を生じさせるさらなる機械的手段を含んでいても良く、ドラグアセンブリ、クラッチ、ギア若しくはラチェット及びパウルシステムなどを使用するような手段を含んでいても良い。
【００５４】
スピンドル２８６の上面２９０及び／又はスピンドル２８８の上面２９２は、展開後にリーダ２３４を格納できるように構成及び配置され得る。例えば、スピンドル２８６の上面２９０は、上記したような窪んだ空洞部を露出させる開口部を含んでいても良い。あるいは、サムホイール２１９又は同様のものが、スプールの直径又は高さ方向に、ユーザが握るのに適した位置まで外向きに伸ばされても良い。当該窪んだ空洞部は、図６Ａ及び図６Ｂに示されているように、ツール９４を収容するように構成及び配置されている。
【００５５】
図１３Ａを参照すると、チャンバ付き釣り用ルア２１０の１つの実施例の上面図において、本体２１２の表面を経て伸びるスピンドル２８６の上面２９０が示されている。スピンドル２８６の上面２９０は、スロット２９１を含み、当該スロットはリーダ２３４を集めてドラム２８４に巻き戻すために使用され得る。上面２９０は一般のマイナスドライバ又は米国硬貨の形状に一致するように構成及び配置されたスロットを有するように示されているが、フィリップススクリューヘッドによる十字形状若しくは多角形形状又は他の適切な形状が使用されても良い。この構成において、リーダライン２３４は、ドラム２８４にしっかりと巻き付けられ、非展開位置となる。再び図１２を参照すると、リーダライン２３４の第１の端部２３３は、当業者に周知の様々な手段を用いてドラム２８４に固着され、当該手段にはノット、スロット、フック、ファスナ、ステープル又はこれらの適切な組み合わせが含まれる。リーダライン２３４の第２の端部２３５は、開口部２７７を介してアーム２７０の内部空洞部２７２に入り、開口部２７９を介して内部空洞部２７２から出る。リーダライン２３４の当該第２の端部は、圧着リング２９３に終結されている。圧着リング２９３に接続されたアイレット２９５は、フック２２２のアイレット２２４に取り付けられている。非展開位置において、フック２２２のアイレット２２４及びシャンク２２６はリーダルアアセンブリチャンバ２３６の内部に設けられていても良い。しかし、好ましい実施例において、アイレット２２４、フック２２２のシャンク２２６、湾曲部２２８及びフック２２２のかえし２３２付の又はかえし２３２無しの尖端２３０は外部に露出し、チャンバ２３６内に収容されている部分及び開口部２９４を介して外部に露出している部分（図１３Ｂ参照）を含むリーダ上の圧着リング２９３のアイレット２９５に接続されている。圧着リング２９３は開口部２９４及び／又はチャンバ２３６の内部にぴったり合うように構成及び配置されている。リーダライン２３４をドラム２８４に巻き戻すには、上記したように、ユーザは単にツール９４を挿入し、当該ツールを時計回り又は反時計回りに回転させるだけで良い。一旦リーダライン２３４がドラム２８４に巻かれると、まだ取り付けられていない場合はユーザは、釣り竿に接続される釣り用ワイヤをアイレット２６８に取り付け、チャンバ付き釣り用ルア２１０を水中へ戻す。
【００５６】
図１４−図１５はチャンバ付き釣り用ルア２１０の代替的実施例を示している。図１４を参照すると、スプールアセンブリ２４８は、底面２２０が再巻取り機構を含むように配置されている。この構成において、枢軸部材（以下ピボットという）２８８の底面２２０は、上記したようにスロット又は窪んだ空洞部を含み（図１２参照）、当該スロット又は空洞部はリーダライン２３４をドラム２８４に巻き戻すことに使用され得る。図１４に示された実施例は、第２のチャンバ２４４、重量物２４６又は潜水リップ２９６を含まない。第２のチャンバから潜水リップ及び／又は重量物２４６を排除することで、この実施例のチャンバ付き釣り用ルア２１０は、水面上又は浅い水面において動作するトップウォータスタイルのルアとして動作する。さらに、スプールアセンブリ２４８の支持アーム２５４及び支持アーム２５６は概して平行に配置され、アイレット６８の部分を除いて互いに直接接続されない。従って、当該アームの端部の各々は、アイレット及びデバイスの本体部分に接続されている。図１５は、チャンバ付き釣り用ルア２１０を潜水スタイルのルアとして示している。上記した特徴に加え、チャンバ付き釣り用ルア２１０は、１つ以上の潜水リップ２９６を含むように構成及び配置され得る。潜水リップ２９６は、当該ルアが様々な深さへの潜水又は前に進む際に遊泳動作をできるように構成及び配置され得る。あるいは、当該ルアは潜水するように引っ張られても良く、前進する動きが遅くなった場合は水面に浮かぶ。重り又は同様のものがチャンバ内又はスロットに追加されても良く、これによって浮力を変化させ、その結果ルアの動きを変化させる。スプールアセンブリ２４８は、上記したようなアーム２５４と２５６とを直接接続する部分及び互いに概して平行に設けられたアームの部分を含む構成と同様に構成され得る。
【００５７】
図１６はトローリングルアの形状におけるチャンバ付き釣り用ルア２１０の代替的実施例を示している。チャンバ付き釣り用ルア２１０は、上記の実施例の全ての特徴又は当該特徴の組み合わせを含む。本体２１２は丸みを帯びた部分２１２ａ及び概して円柱形状の部分２１２ｂを含む。円柱形の部分２１２ｂに取り付けられるのはシリコン製スカート２９８である（図１７参照）。この実施例において、本体部分は高い密度を有する金属から形成され得る。当該金属は、通常の使用において当該金属が腐食及び劣化しないように１つ以上の公知の材料に被覆されていても良い。当該円柱の部分２１２ｂは、かえし、ピン、スナップ、フランジ、フック及びループ又は同様のものを含み、スカート２９８の取り付けを補助していても良い。
【００５８】
図１８−図２２Ｂはチャンバ付き釣り用ルア３１０のスプールアセンブリを有しない代替的実施例を示している。図１８を参照すると、チャンバ付き釣り用ルア３１０は、前部３１４、後部３１６、上部３１８及び底部３２０を有する本体３１２を含む。チャンバ付き釣り用ルア３１０に取り付けられているのは、フック３２２である。フック３２２の釣り針用アイレット３２４及びシャンク３２６は、空洞部３２８に収容されており、当該空洞部は本体３１２の後部３１６に設けられるか又は後部３１６に面している。湾曲部３３０及びかえし３３４付き尖端３３２は、空洞部３２８の開口部３３６を介して外部に露出している。本体３１２の内部は１つ以上のチャンバ３４０及び３４２を含む。チャンバ３４０の一端にはリーダライン３４６を取り付けるリーダルア用アイレット３４４が設けられている。チャンバ３４０の他端には開口部３４７が設けられている。開口部３４７は内部チャンバ３４０を経てリーダライン３４６を通過させ、当該リーダラインの一部を外部に露出させる。リーダラインの反対側の端部はフック３２２のアイレット３２４に接続されており、当該アイレットは本体３１２の後部３１６に設けられるか又は面している空洞部３２８に収容されている。図１９は、展開位置におけるチャンバ付き釣り用ルア３１０を示しており、当該展開位置においてフック３２２は空洞部３２８からリリースされ、本体３１２から所定の距離だけ離れて位置している。本体３１２の外部表面に設けられているのはメインライン３５０を取り付ける外部アイレット３４８である。メインライン３５０は釣り用リール（図示せず）に接続されている。チャンバ３４２には重量物３５２が収容されていても良い。
【００５９】
チャンバ付き釣り用ルア３１０は、水中の環境、魚の種類又は他の釣りの要件に応じて様々な形状及び大きさで構成され得る。例えば図２０Ａ（非展開状態）及び図２０Ｂ（展開状態）はジグの形態をとるチャンバ付き釣り用ルア３１０を示している。本体３１２は概して丸みを帯びたジグヘッド部分３１２ａ及び１つ以上のとげ（突起）３５４の備えた概して矩形の襟（以下カラーと称する）部分３１２ｂを含む。さらに、リーダライン３４６の一部がジグヘッド部分３１２ａ内に成型される。図２１Ａ−Ｃはチャンバ付き釣り用ルア３１０の代替的実施例を示しており、当該実施例はソフトプラスチック製のシュリンプテイルのアタッチメント３５６を有している。図２２Ａ（非展開状態）及び図２２Ｂ（展開状態）は、チャンバ付き釣り用ルア３１０を示しており、当該ルアのジグヘッドはカラーに結び付けられた又は取り付けられたヘア３５８を含む。
【００６０】
図２３−１９を参照すると、本発明による釣り用ルア３１０の再巻取り可能なリーダアセンブリ４００の１つの実施例が示されている。上記した実施例４８と似た構造であるが、再巻取り可能なリーダアセンブリ４００はよりコンパクトな実施形態である。再巻取り可能なリーダアセンブリ４００は、釣り用ルアの本体内に配置可能であり、リリース自在なフック及びリーダアセンブリを備える。再巻取り可能なリーダアセンブリ４００は、第１の端部４０２及び第２の端部４０４を有し、支持アーム４０６及び４０８を含む。支持アーム４０６及び４０８は概して平行に設けられている。支持アーム４０６及び４０８に結合、接続又は一体的に成型されているのは、側壁部材４１０及び４１２である。側壁部材４１０及び４１２は概して平行に設けられ、垂直に支持アームに垂直に接続され、囲まれたエリア４１４を形成している（図２７参照）。囲まれたエリア４１４は回転部材４１６を収容するような大きさ及び形状である。図２８Ａを参照すると、回転部材４１６は、本明細書にはスプール状のアセンブリとして示され、第１の円形部材４１８及び第２の円形部材４２０を含む。第１の円形部材４１８と第２の円形部材４２０とは、円筒形のドラム本体４２２によって分けられている。円筒形のドラム本体４２２は開口内部（オープンルーメン）４２４（図２８Ｂ参照）を含み、開口内部４２４は当該ドラム本体を貫通しており、ピボット（枢軸部材）４２６（図２８Ｃ参照）を受け入れるように構成及び配置されている。ピボット４２６は円筒形の本体４２８を含み、円筒形の本体４２８は、円筒形のドラム本体４２２の開口内部４２４に合うような大きさ又は形状である。上部及び又は底部は、当該円筒形の本体４２８に取り付けられるキャップ部材４３０を含んでいても良い。あるいは、当該キャップ部材４３０は円筒形の本体４２８に一体的に形成されていても良い。いずれの場合においても、当該キャップ部材は回転ツールの収容エリア４３２を含む。回転ツールの収容エリア４３２はツール９４のようなツールを収容するように構成又は配置され、当該ツールは円筒形のドラム本体４２２を回転させる。回転ツールの収容エリア４３２は、例えば、ツール９４の形状と共役の形状又はツール９４の形状の補完的かつ幾何学的形状すなわちフィリップススクリューヘッドによる十字形状又は六角ボルトヘッド形状又は四角ボルトヘッド形状であっても良く、ツールを挿入した際にしっかりと適合し得る。円筒形のドラム本体４２２回転は、上記した態様と同様の態様で行う。回転する際に、ピボット４２６はユーザにドラムを時計回り／反時計回りに回転できるようにし、これによって取り付けられたリーダライン（図示せず）を巻き出し又は巻き戻しすることができる。回転部材４１８及び４２９はいずれも開口部４３４を含み、当該開口部は、ピボット４２６を収容及び保持するような大きさ及び形状である。さらに、円形部材４１８及び４２９の各々は、１つ以上の窪んだ又はへこんだ（以下、ディンプルと称する）領域４３６を含んでいても良い。当該ディンプル領域を使用してスプール部材を所望の位置に固定し、格納及び／又は搬送を行っても良い。あるいは、当該ディンプルはばね荷重がかけられたピン又はボール（図示せず）と協働させて制御された抵抗力を付与することによって当該スプールからリーダを引き出しても良い。
【００６１】
再巻取り可能なリーダアセンブリ４００を組み立てるため、回転部材４１６は囲まれたエリア４１４内に設けられ、第１の円形部材４１８は支持アーム４０６にアライメントされて接触し、第２の円形部材４２０は支持アーム４０８にアライメントされて接触する。第１及び第２の円形部材の開口部４３４は、支持アーム４０６及び支持アーム４０８の開口部４４０及び４４２の各々にアライメントされている。一旦適切にアライメントされると、ピボット４２６は当該開口部にはめ込まれる（挿入される）ことができ、円筒形の本体４２２の開口内部４２４内に配置され得る。図２８Ａに示されるように、キャップ部材４３０は第１の円筒形部分４１８の上部に置かれている。円筒形のドラム４２２は開口部４４４を含んでいても良く（図２４参照）、当該開口部にリーダラインが取り付けられても良い（図示せず）。リーダラインはドラムに巻き付けられていても良く、側壁部材４１２に設けられたスロット４４６を通って出る。側壁部材４１０に取り付けられているのはアイレットフック４４８である。当該アイレットフック４４８はルアの外壁を通って伸び、釣り人の操作によって釣り用ラインが取り付けられる。当該ラインは釣竿、アウトリガ、ダウンリガ又は他のオペレータによって制御される釣り用ラインから伸長され得る。当該再巻取り可能なリーダアセンブリ４００は、本明細書に示され又は検討され及び記載されたチャンバ付き釣り用ルアのいずれの実施例にも挿入することができる。あるいは、プラスチック、ゴム又は他の適切な材料が再巻取り可能なリーダアセンブリの周囲に成型されても良い。例えば、図２９に示すように、チャンバ付き釣り用ルア１０の再巻取り可能なリーダルアアセンブリチャンバ３６内に配された再巻取り可能なリーダアセンブリ４００は、図１に示されたリリース自在なフック２２を有している。
【００６２】
図３０及び図３１を参照すると、チャンバ付き釣り用ルア５００の代替的実施例が示されている。図３０においては、リリース自在なフック２２及びリーダライン３４を有する本発明のチャンバ付き釣り用ルア５００の１つの実施例の側面図が示されている。図３１はドラッグ又はクラッチアセンブリを追加した同様の実施例を示しており、リーダをルアからリリースする際にさらなる制御ができるように構成及び配置されている。チャンバ付き釣り用ルア５００は前部５０４、後部５０６、上部５０８及び底部５１０を有する本体５０２を含む。本体５０２は釣り用ルアの製造に一般に使用される材料から作られ得るが、好ましくはプラスチックなどのポリマ材から作られる。本体５０２は、模様又は色彩を含んでいても良く、小魚、ネズミ、ザリガニ、昆虫、蛙、若しくは魚が捕食する別の動物又は物体に似た形状を有していても良い。チャンバ付き釣り用ルア５００に取り付けられているのはリリース自在なフック２２及びリーダライン３４である。図示されているように、当該フックは、リーダライン３４が全く露出していないか又はほとんど露出していない「非展開位置」に配置されている。これは釣り人が前記ルアを着水させる際の典型的な開始位置である。
【００６３】
展開位置において、リーダ３４は伸長されており、フック２２は本体５０２から所定の距離だけ離れた位置にある。当該展開位置は、魚が実際にルアに食い付いてルアに接触する魚の食付きによって生じる。この状況において、魚は食べたくないものに食い付いたことに気付くであろう。そして、当該ルアを口から出すがフックは口に留まる。当該フックは好ましくは標準的な釣り針であり、この標準的な釣り針はアイレット２４、シャンク２６、湾曲部分２８及びかえし３２付き又はかえし３２無しの尖端３０を有している。フック２２は保護皮膜で被覆されていてもよく、これにより、錆び、腐食又は他の風化作用などの悪影響を及ぼす環境から保護することで耐久年数を延長できる。フック２２をチャンバ付き釣り用ルア５００の本体５０２に結合させるのはリーダライン３４である。当該リーダラインは、フロロカーボン製リーダラインやモノフィラメント製リーダラインに限定されず、編み組まれた金属若しくはポリマ材又はこれらの適切な組合せによるリーダラインであっても良い。
【００６４】
本体５０２の内部に設けられているのは、再巻取り可能なリーダアセンブリ用チャンバ３６である。再巻取り可能なリーダアセンブリ用チャンバ３６は、中間部４２によって接続された第１の端部３８及び第２の端部４０を含み得る。第２のチャンバ４４は、潜水翼部（ブレード）又はスプーン（図示せず）などの重量物（重り）４６を保持するように構成及び配置されている。あるいは、重量物４６は、本体内の適切な位置に形成されていても良く、ルアが水中で動く際に異なる動きを引き起こす。再巻取り可能なリーダルアアセンブリ用チャンバ３６内に設けられているのは、再巻取り可能なリーダアセンブリであり、本明細書にはスプールアセンブリ４８として示されている。通常、当該スプールアセンブリは所定の長さのリーダライン３４をコイル状又は制御可能でリリース自在な構造で収容するように構成及び配置される。当該スプールアセンブリは、リーダラインが当該ルアの空洞部内のスプールアセンブリに、再巻取り又は再配置され、繰り返し展開されることを可能にする。
【００６５】
この実施例において、スプール８１は第１の円形フランジ部材８０、第２の円形フランジ部材８２及びドラム８４を含む。特定の好ましい実施例において、円形部材８０及び８２のうちの１つは十分に大きい直径を有するように形成され、本体の外側に形成された表面を介して少なくとも部分的に拡張し、これによって手で当該円形部材を回転させることができ、ツール、キー又は同様のものを要しない。第１の円形フランジ部材８０及び第２の円形フランジ部材８２に取り付けられているのはピボットアセンブリであり、本明細書にはそれぞれスピンドル８６及び８８として示されている。スピンドル８６及び８８はスプールアセンブリの一部として結合又は一体的に形成され、当該形成はドラム８４にその長手軸８９を中心に回転運動をさせるような態様でなされる。開口部又はくぼみ部はチャンバ内に設けられ、当該スピンドルと協働する。アクセスドア５３０はスプールアセンブリへのアクセスを必要に応じて又は組み立ての際にできるように設けられる。当該アクセスドアは、締結部材、接着剤、リビングヒンジなどの収納時及び使用時においてアクセスドアを所定の位置に保持する適切な手段によって所定の位置に保持され得る。ピボットアセンブリは付属品として示されており、当該ピボットアセンブリは、軸を中心に回転運動を生じさせるような他の要素を含んでいても良い。例えば、ピボットアセンブリは心棒のような縦材であっても良く、第１及び第２の円形部材の開口部内にベアリング又はブッシングと共に固定されていても良い。あるいは、当該第１及び第２の円形部材は当該心棒に固定されていても良く、当該心棒が支持される接続箇所に用いられるベアリング、ブッシング、又はマグネット等と共に固定されていても良い。当該ピボットアセンブリは、制御された回転を生じさせるさらなる機械的手段、例えばギア、ラチェット及びパウルシステム等を使用するような手段を含んでいても良い。当該スピンドルはドラム部材の端部から外向きに伸びているように示されているが、開口部又は内側の穴部（以下、インナーボアと称する）がドラム内に設けられても良く、当該スピンドルは、本発明の範囲から逸脱すること無くルアの本体に取り付けられても良い。本体５０２の後部５０６に設けられているのは開口部７２である。開口部７２はフックが本体５０２の中空の内部に挿入された際に当該内部にぴったり合うような大きさ及び形状であり、これにより、当該フックの回転運動を防ぎつつ当該フックの容易な又は制御されたリリースを可能にしている。
【００６６】
図３１を参照すると、ドラッグ又はクラッチアセンブリ５３２を含む本発明の１つの実施例が示されている。ドラッグ又はクラッチアセンブリは通常、オペレータ（釣り人）がフック及びリーダをルアから引く及び／又はリリースするスピードを制御できるように構成及び配置されている。好ましい実施例において、ドラグアセンブリ５３２は少なくとも１つのクラッチディスク５３４と共に設けられ、当該クラッチディスクはスプールアセンブリとプレッシャプレート５３６との間に設けられる。蝶ねじ５３８及び任意のばね部材５４０はスプールアセンブリに圧力及び摩擦を発生させるために使用されても良く、これにより、リーダ及びフックをルアから伸長する際に必要な圧力及び／又はスピードを制御できるようになる。クラッチ及びプレッシャプレートは平らなディスク状の部材として示されているが、本発明の範囲から逸脱することなく他の形状が使用されても良い。また、コイルばねが示されているが、本発明の範囲から逸脱することなく例えばベルビルワッシャ等の他のタイプのばね部材が使用されても良い。
【００６７】
図３２−３７に示されるように、モジュラ釣り用ルア６００の代替的実施例は、頭部６１０を含み、これは尾部６５０から分離可能である。頭部６１０は、前部６１２、後部６１４、側面の表面６１６、上部６１８、底部６２０及び本体６２２を含む。本体６２２の内部に設けられているのは、上述したような再巻取り可能なリーダアセンブリチャンバ及びリリース自在なフックである。尾部６５０は前部６５２及び後部６５４を含む。頭部６１０の後部６１４は丸みを帯びたキーホールスロット６２４を含む。丸みを帯びたキーホールスロット６２４は、頭部６１０の後部６１４において底部６２０から上部６１８まで伸びている。キーホールスロット６２４は上面６１８から始まる第１の開口端部６２６を有し、頭部６１０の底部６２０の近くまで伸び、これによって第２の閉じた端部を形成している。キーホールスロット６２４は複数の尾部６５０と協働するように構成及び配置され、当該尾部は対応するキー６５６を有している。尾部６５０の各々は、対応するキー６５６を前部６５２に含み、頭部６１０のキーホールスロット６２４と結合する。図示されないが、当該尾部は様々な色、大きさ、形状などを有していても良く、魚を引き付けるにおい（擬臭）及び／又は味の物質が充填されていても良い。
【００６８】
図３４、３５及び３７に示されるように、頭部６１０の後部６１４はＵ形状のチャネル６３０を含んでいても良く、当該チャネルは頭部６１０の上部６１８に沿って、また各側面の表面６１６に沿って伸びている。Ｕ形状のチャネル６３０は、Ｕ形状の重りエレメント６３２を収容するように構成及び配置されており、ルアの頭部６１０の重さを変更する。図３７に示されるように、頭部６１０の底部６２０に沿って露出しているのは、腹部の溝６３４である。腹部の溝６３４は、重りエレメント６３６を収容するように構成及び配置されている。第２のチャンバ６３８は、ブレード、スプーンその他の（図示せず）重量物６４０を保持するように構成及び配置されている。頭部に沿った異なる重りエレメントは所望の深さ、動き、乱れ等を水中のモジュラルアにもたらすことを補助する。頭部６１０の前部６１２は挿入可能なビル６４４をさらに含んでいても良い。ビル６４４は、ルア６００が水面に沿って引かれると水中で乱れを発生させ、これによって、魚を引き付けることができる。ビル６４４は第３のチャンバ６４２に挿入され得る。当該チャンバは、ビル６４４を保持するように構成及び配置されている。あるいは、重量物が本体内の任意の適切な位置に成型されていても良く、これによってルアが水中を動く際に異なる動きを発生させる。また、上記した擬臭、におい袋、固形の擬臭、小袋などが本発明のルアのチャンバに追加されていても良く、これによってさらに魚をルアに引き付けることができる。
【００６９】
本明細書に記載されている全ての特許及び刊行物は、本発明の属する技術分野における当業者の水準（レベル）を示している。全ての特許及び刊行物は参照されることで本明細書に包含されている。
【００７０】
本発明の一定の形態が示されているが、本発明は、本明細書に記載及び図示されている特定の形態又は構成に限定されるべきではない。本発明の範囲から逸脱すること無く様々な変更がなされ得ることは、当業者にとって明白であろう。本発明は、本明細書及び本明細書に含まれる図面に図示及び記載されているものに限定されると考えられるべきではない。
【００７１】
当業者は、本発明が目的を達成し、上記したような結果及び効果並びに内在する結果及び効果を得ることができることを容易に理解するであろう。本明細書に記載された実施例、方法、手順及び技術は、出願時点での好ましい実施例であり、例示的なものであり、本発明の範囲を限定するものではない。当業者が想到し得るであろう変形及び他の用途は、本発明の精神に包含され、特許請求の範囲によって画定される。本発明は、特定の好ましい実施例に関連して記載されているが、特許請求の範囲に記載されている本発明はこのような特定の実施例に不当に限定されるべきではない。本発明を実施するための開示された態様の様々な変形であって、当業者にとって明白なものは、特許請求の範囲内のものである。
【図１】
2017513471.tif 000003
【図２】
2017513471.tif 000004
【図３】
2017513471.tif 000005
【図４】
2017513471.tif 000006
【図５】
2017513471.tif 000007
【図６Ａ】
2017513471.tif 000008
【図６Ｂ】
2017513471.tif 000009
【図７】
2017513471.tif 000010
【図８】
2017513471.tif 000011
【図９】
2017513471.tif 000012
【図１０】
2017513471.tif 000013
【図１１】
2017513471.tif 000014
【図１２】
2017513471.tif 000015
【図１３Ａ】
2017513471.tif 000016
【図１３Ｂ】
2017513471.tif 000017
【図１４】
2017513471.tif 000018
【図１５】
2017513471.tif 000019
【図１６】
2017513471.tif 000020
【図１７】
2017513471.tif 000021
【図１８】
2017513471.tif 000022
【図１９】
2017513471.tif 000023
【図２０Ａ】
2017513471.tif 000024
【図２０Ｂ】
2017513471.tif 000025
【図２１Ａ】
2017513471.tif 000026
【図２１Ｂ】
2017513471.tif 000027
【図２１Ｃ】
2017513471.tif 000028
【図２２Ａ】
2017513471.tif 000029
【図２２Ｂ】
2017513471.tif 000030
【図２３】
2017513471.tif 000031
【図２４】
2017513471.tif 000032
【図２５】
2017513471.tif 000033
【図２６】
2017513471.tif 000034
【図２７】
2017513471.tif 000035
【図２８Ａ】
2017513471.tif 000036
【図２８Ｂ】
2017513471.tif 000037
【図２８Ｃ】
2017513471.tif 000038
【図２９】
2017513471.tif 000039
【図３０】
2017513471.tif 000040
【図３１】
2017513471.tif 000041
【図３２】
2017513471.tif 000042
【図３３】
2017513471.tif 000043
【図３４】
2017513471.tif 000044
【図３５】
2017513471.tif 000045
【図３６】
2017513471.tif 000046
【図３７】
2017513471.tif 000047
【国際調査報告】
2017513471.tif 000048
2017513471.tif 000049
2017513471.tif 000050